(57)【要約】【課題】検査者の慣れの必要なしにブロンジングを容易に検査することのできる画質検査方法および装置を提供する。【解決手段】印刷が施された被検査印刷媒体（１）を少なくとも一部に入射光を正反射する部材（２）が設けられた保持部材（２）に重ねて配置し、正反射する部材（２）への光源の写り込みの位置により被検査印刷媒体（１）の検査対象領域を特定し、光源（３）からの光の入射に対して正反射となる方向から検査対象領域を検査する。【選択図】図１
2010145197.tif 000002
【特許請求の範囲】
【請求項１】
印刷が施された被検査印刷媒体を少なくとも一部に入射光を正反射する部材が設けられた保持部材に重ねて配置し、
上記正反射する部材への光源の写り込みの位置により上記被検査印刷媒体の検査対象領域を特定し、上記光源からの光の入射に対して正反射となる方向から上記検査対象領域を検査する
ことを特徴とする画質検査方法。
【請求項２】
請求項１記載の画質検査方法において、前記光源からの光に対して前記保持部材および前記被検査印刷媒体の角度を変化させて、前記被検査印刷媒体上の検査対象領域を移動させることを特徴とする画質検査方法。
【請求項３】
請求項１記載の画質検査方法において、前記光源からの光に対して前記保持部材を固定し、前記正反射する部材への前記光源の写り込みの位置に対して前記被検査印刷媒体を移動させることで、前記被検査印刷媒体上の検査対象領域を移動させることを特徴とする画質検査方法。
【請求項４】
請求項１から３のいずれか１項記載の画質検査方法において、前記光源として１方向に長いものを用い、この長い光源の長さ方向を前記正反射する部材に写し込むようにしたことを特徴とする画質検査方法。
【請求項５】
印刷が施された被検査印刷媒体が重ねて配置される保持部材と、
光源と
を有し、
上記保持部材には、少なくとも一部に、上記光源からの入射光を正反射して上記被検査印刷媒体の印刷画質を検査するための指標とする反射部材が設けられた、
ことを特徴とする画質検査装置。
【請求項６】
請求項５記載の画質検査装置において、
前記光源は１つの方向に長い形状を有し、
上記保持部材は、上記１つの方向にほぼ平行な軸を中心にして傾斜角を可変に調整可能である
ことを特徴とする画質検査装置。
【請求項７】
請求項５記載の画質検査装置において、
前記光源は１つの方向に長い形状を有し、
前記保持部材には、前記正反射する部材への前記光源の写り込み位置を指定するマーカーが設けられた
ことを特徴とする画質検査装置。
【請求項８】
請求項５から７のいずれか１項記載の画質検査装置において、
前記保持部材および前記光源が、５方向に閉じられ１方向の少なくとも一部が開かれたブース内に配置された
ことを特徴とする画質検査装置。
【発明の詳細な説明】
【技術分野】
【０００１】
本発明は、画質検査方法および装置に関する。
【背景技術】
【０００２】
印刷された用紙を見ていると、光の加減により、色が異様に見えることがある。これは、ブロンジング効果あるいはフロップ性として知られている現象（以下、「ブロンジング」という）によるものであり、ある種の顔料インクを用いて光沢性のある用紙に印刷した場合に生じることが知られている（例えば非特許文献１参照）。ブロンジングは、インクが特定の波長の光だけを選択的に反射することによって生じるもので、光源からの光の入射に対して正反射となる方向、すなわち、もし用紙の面が反射面であれば入射光が全反射する方向で見られる現象である。ブロンジングが生じる条件は、インクの材料や性質、インクの組み合わせなど、多くの要因が関係する。このため、ブロンジングが生じるかどうかは、実際に印刷してみないと判らないのが現状である。
【非特許文献１】新編色彩科学ハンドブック、第２版、日本色彩学会編、東京大学出版会、第１８章光沢、第７１３−７３２頁
【発明の開示】
【発明が解決しようとする課題】
【０００３】
ブロンジングは、色空間として知られるＬ＊ａ＊ｂ＊表色系では表すことができず、実際に印刷したもので検査する必要がある。すなわち、印刷された被検査印刷媒体について、正反射の状況（ブロンジングが生じる可能性のある状況）と、正反射ではない拡散状況とで、乖離の程度を検査する。
【０００４】
この検査は、人間が目視により行っている。すなわち、検査者が被検査印刷媒体を種々の角度で観察しながら、画質の良否判定を行っている。しかし、この方法では、検査者に慣れを必要とし、検査者間で検査のばらつきが生じたり、検査者と他者との間で状況がうまく伝わらないことがある。
【０００５】
本発明は、このような課題を解決し、検査者の慣れの必要なしにブロンジングを容易に検査することができる画質検査方法および装置を提供することを目的とする。
【課題を解決するための手段】
【０００６】
本発明の画質検査方法は、印刷が施された被検査印刷媒体を少なくとも一部に入射光を正反射する部材が設けられた保持部材に重ねて配置し、正反射する部材への光源の写り込みの位置により被検査印刷媒体の検査対象領域を特定し、光源からの光の入射に対して正反射となる方向から検査対象領域を検査することを特徴とする。
【０００７】
光源からの光に対して保持部材および被検査印刷媒体の角度を変化させて、被検査印刷媒体上の検査対象領域を移動させることができる。また、これとは別に、光源からの光に対して保持部材を固定し、正反射する部材への光源の写り込みの位置に対して被検査印刷媒体を移動させることで、被検査印刷媒体上の検査対象領域を移動させることもできる。光源として１方向に長いものを用い、この長い光源の長さ方向を正反射する部材に写し込むようにすることが望ましい。
【０００８】
本発明の画質検査装置は、印刷が施された被検査印刷媒体が重ねて配置される保持部材と、光源とを有し、保持部材には、少なくとも一部に、光源からの入射光を正反射して被検査印刷媒体の印刷画質を検査するための指標とする反射部材が設けられたことを特徴とする。
【０００９】
光源は１つの方向に長い形状を有し、保持部材は、光源の長さ方向にほぼ平行な軸を中心にして傾斜角を可変に調整可能である構成とすることができる。また、これとは別に、光源は１つの方向に長い形状を有し、保持部材には、反射する部材への光源の写り込み位置を指定するマーカーが設けられた構成とすることができる。保持部材および光源を、５方向に閉じられ１方向の少なくとも一部が開かれたブース内に配置することもできる。
【発明の効果】
【００１０】
光源の写り込み位置により被検査印刷媒体の検査対象領域を確認することで、検査者に慣れを必要とせず、また、検査者間で検査のばらつきが生じることなく、ブロンジングを容易に検査できる。また、検査方法が統一されるので、検査者と他者との間で状況がうまく伝わらないような状況を避けることができる。
【発明を実施するための最良の形態】
【００１１】
以下、本発明の実施の形態について、図面を参照して説明する。
【００１２】
[第１の実施の形態]
[構成］
図１は本発明の第１の実施の形態に係る画質検査装置１０の構成例を示す図である。この画質検査装置１０は、印刷が施された被検査印刷媒体１が重ねて配置される保持部材としての反射台２と、光源３とを有する。反射台２は、光源３からの入射光を正反射して被検査印刷媒体１の印刷画質を検査するための指標とする反射部材により構成される。光源３は１つの方向（図１の紙面に対して鉛直方向）に長い形状を有し、反射台２は、光源３の長さ方向にほぼ平行な回転軸４を中心にして、傾斜角を可変に調整可能である。
【００１３】
反射台２を構成する反射部材としては、入射光を全反射するものだけでなく、入射光の一部だけを全反射するものを用いることができる。そのような反射部材としては、例えば、鏡、金属板、ガラス板、あるいはアクリル板などがある。この実施の形態では反射台２の全体が反射部材により構成されるものとしているが、被検査印刷媒体１が配置される領域の両側など、一部だけを反射部材により構成してもよい。また、ここでは被検査印刷媒体１が反射台２に載せられるものとして説明するが、被検査印刷媒体１の上（光源３側）に、アクリル板などの透明でかつ光源３からの入射光の一部を正反射する反射部材を配置する構成とすることもできる。光源３としては、例えば棒状の蛍光灯を用いる。
【００１４】
［検査方法］
図２は、図１に示す画質検査装置１０を検査者の側から見た要部正面図である。この図２と先の図１とを参照して、画質の検査方法を以下に説明する。光源３からの光は被検査印刷媒体１の全体を照らし、被検査印刷媒体１の法線に対する光源３の角度（図１に示す照射角θｉ）と検査者の目５の角度（図１に示す反射角θｒ）が異なる被検査印刷媒体１上の領域では、入射光が拡散反射して検査者の目５に入ってくる。このとき、検査者の目５には、所定の印刷色が見える。一方、照射角θｉと反射角θｒが等しい被検査印刷媒体１上の領域では、ブロンジングが生じる可能性がある。検査者の目５にとって照射角θｉと反射角θｒが等しい領域は、反射台２への光源３の写り込み６により確認できる。ここで、光源３の写り込み６とは、検査者の目５には光源３があたかも反射台２の上にあるように写っている状態を示す。そこで、検査者は、反射台２上で写り込み６が生じている場所の間の被検査印刷媒体１の検査対象領域７を目視し、その周囲との色の変化を調べる。これにより、ブロンジングを検査し、画質の良否を判定することができる。検査対象領域７は、図２では２本の一点鎖線で囲まれた領域であり、被検査印刷媒体１が反射台２に置かれていなければ光源３の写り込み６が生じるであろう領域となる。
【００１５】
図３は、図１に示す画質検査装置１０を用いた画質検査方法のフローチャートである。この方法では、まず、検査者は、被検査印刷媒体１を反射台２に重ねて配置する（ステップＳ１）。続いて、検査者は、被検査印刷媒体１上の検査したい領域が正反射位置となるように、反射台２の傾斜を調整する（ステップＳ２）。反射台２の傾斜を調整することで、照射角θｉと反射角θｒが等しくなる条件が変化し、正反射位置が移動する。検査者は、この正反射位置を、反射台２上の光源３の写り込み６で確認する。そして、検査者は、光源３からの光の入射に対して正反射となる方向、すなわち反射角θｒの方向から、正反射位置における被検査印刷媒体１の印刷の色を、目視により観察する（ステップＳ３）。そして、全領域の検査が終了するまで、ステップＳ２、Ｓ３を繰り返す（ステップＳ４）。
【００１６】
［効果］
以上説明した実施の形態によれば、反射台２への光源３の写り込み６の存在により、被検査印刷媒体１上の検査領域を安定して確認することができ、検査者は、技能や慣れに左右されることなく、安定した観察評価を得ることができる。
【００１７】
[第２の実施の形態]
［構成］
図４は本発明の第２の実施の形態に係る画質検査装置２０の構成例を示す図である。この画質検査装置２０は、印刷が施された被検査印刷媒体１１が重ねて配置される保持部材として反射板１２と、光源３とを有する。反射板１２は、光源１３からの入射光を正反射して被検査印刷媒体１１の印刷画質を検査するための指標とする反射部材により構成される。光源１３は１つの方向に長い形状を有し、反射板１２には、光源１３の写り込み位置を指定するマーカー１４が設けられる。反射板１２および光源１３は、検査者が観察する方向を除く５方向が非開口状態となるブース１５内に配置される。
【００１８】
この実施の形態において、反射板１２を構成する反射部材としては、入射光を全反射するものだけでなく、入射光の一部だけを全反射するものを用いることができる。また、反射板１２は、全体が反射部材により構成されてもよく、マーカー１４の周囲の領域など、一部だけを反射部材により構成してもよい。ブース１５が反射板１２を兼ねる構造とすることもできる。また、ここでは、被検査印刷媒体１１が反射板１２に載せられるものとして説明するが、被検査印刷媒体１１の上に、アクリル板などの透明でかつ光源１３からの入射光の一部を正反射する反射部材を配置する構成とすることもできる。光源１３としては、例えば棒状の蛍光灯を用いる。
【００１９】
［検査方法］
図５および図６は、図４に示す画質検査装置２０の側面図および平面図である。これらの図を参照して、図４に示す画質検査装置２０による画質の検査方法を説明する。図５に示すように、光源１３からの光は、被検査印刷媒体１１の全体を照らし、被検査印刷媒体１１の法線に対する光源１３の角度（照射角θｉ）と検査者の目の角度（出射角θｒ）が異なる被検査印刷媒体１１上の領域では、入射光が拡散反射して検査者の目５に入ってくる。このとき、検査者には、所定の印刷色が見える。一方、照射角θｉと反射角θｒが等しい被検査印刷媒体１１上の領域では、ブロンジングが生じる可能性がある。検査者の目５にとって照射角θｉと反射角θｒが等しい領域は、図６に示すように、反射板１２への光源１３の写り込み１６により確認できる。そこで、検査者は、マーカー１４の示す位置で写り込み１６が生じるように自分の位置を調整して、被検査印刷媒体１１を観察する。観察は、検査者が反射板１２に対する自分の位置を固定し、写り込み１６の間の検査対象領域１７（図６において一点鎖線で囲まれる部分）を目視して、色の変化を調べる。これにより、ブロンジングを検査し、画質の良否を判定することができる。検査対象領域１７を移動するには、被検査印刷媒体１１を検査者に対して前後に移動させる。なお、図６では検査者の目５を簡略化して１つとしたが、実際は、検査者は両目で検査をする。
【００２０】
図７は、図４から図６に示す画質検査装置２０を用いた画質検査方法のフローチャートである。この方法では、まず、検査者は、被検査印刷媒体１１を反射板１２の上に置く（ステップＳ１１）。続いて、検査者は、マーカー１４の示す位置で光源１３の写り込み１６が生じるように自身の位置を調整し、被検査印刷媒体１１上の検査したい領域をマーカー１４（および写り込み１６）の位置に合わせる（ステップＳ１２）。そして、その位置における被検査印刷媒体１１の色を目視により確認する（ステップＳ１３）。全領域の検査が終了する（ステップＳ１４でＹ）まで、被検査印刷媒体１１を移動させて（ステップＳ１５）、ステップＳ１２、Ｓ１３を繰り返す。
【００２１】
［効果］
以上説明した第２の実施の形態によれば、観察照明の幾何学条件、すなわち光源１３から被検査印刷媒体１１への光の照射角θｉおよび被検査印刷媒体１１からの反射光の検査者の目５への出射角θｒが固定され、常に同じ条件で検査を行うことができる。また、ブース１５を用いることで、外部の影響を受けずに検査を行うことができる。
【００２２】
[第２の実施の形態の変形例]
図８は図４から図７を参照して説明した第２の実施の形態に係る画質検査装置２０の変形例である画質検査装置２１を示す図であり、図５に示す側面図に相当する図である。図４から図７を参照して説明した構成では、検査者の方向を除く５方向をブース１５で区切るものとしていたが、この変形例では、検査者の方向についても区切り、検査者は覗き窓１７から被検査印刷媒体１１を観察する。この構成により、検査者の観察位置をさらに限定することができ、検査条件の安定性をさらに高めることができる。
【００２３】
また、図８に示す画質検査装置２１は、ブース１５の検査者側に、上方向に開けることのできる扉１８を有し、この扉１８を開けることで、ブース１５への被検査印刷媒体１１の出し入れ、およびブース１５内での被検査印刷媒体１１の移動を行うことができる。ここでは上方向に開けることのできる扉１８を示したが、開ける方向は横方向でも下方向でもよく、上、横あるいは下にずらす構造でもよい。
【００２４】
［その他の実施の形態］
以上の実施の形態において、光源３、１３として棒状の蛍光灯を用いるものとして説明した。これは、エンドユーザが印刷媒体を見ることを想定した場合、点光源を用いることはあまりなく、一般的には蛍光灯の照明が用いられると考えられるからである。したがって、光源３、１３として、１本の蛍光灯ではなく複数本の蛍光灯を平行に配置して用いてもよく、また、複数本の蛍光灯が内部に設けられたような平面的な照明を用いてもよい。
【００２５】
以上、本発明の実施の形態に係る画質検査装置について説明したが、本発明は要旨を変更しない限り種々変更実施できる。例えば、反射台２あるいは反射板１２は平板状であることが望ましいが、光源３あるいは１３の長さ方向と平行に凹または凸となる湾曲した形状であってもよい。また、目視による観察ではなく、スチル・カメラあるいはビデオ・カメラを用いて、被検査印刷媒体１または１１を撮影することもできる。その場合でも、撮影された画像中の光源３、１３の写り込みの位置から、検査対象場所を知ることができ、その検査結果を得ることができる。第１の実施の形態に係る画質検査装置１０をブース１５内に配置することもできる。
【図面の簡単な説明】
【００２６】
【図１】本発明の第１の実施の形態に係る画質検査装置の構成例を示す図である。
【図２】図１に示す画質検査装置による画質の検査方法を説明する図である。
【図３】図１に示す画質検査装置を用いた画質検査方法のフローチャートである。
【図４】本発明の第２の実施の形態に係る画質検査装置の構成例を示す図である。
【図５】図４に示す画質検査装置の側面図である。
【図６】図４に示す画質検査装置の平面図である。
【図７】図４から図６に示す画質検査装置を用いた画質検査方法のフローチャートである。
【図８】図４から図７を参照して説明した第２の実施の形態に係る画質検査装置の変形例を示す図であり、図５に示す側面図に相当する図である。
【符号の説明】
【００２７】
１０、２０、２１  画質検査装置、１、１１  被検査印刷媒体、２  反射台（保持部材）、３、１３  光源、４  回転軸  ５  検査者の目、６、１６  光源の写り込み、７、１７  検査対象領域、１２  反射板（保持部材）、１４  マーカー、１５  ブース
【図１】
2010145197.tif 000003
【図２】
2010145197.tif 000004
【図３】
2010145197.tif 000005
【図４】
2010145197.tif 000006
【図５】
2010145197.tif 000007
【図６】
2010145197.tif 000008
【図７】
2010145197.tif 000009
【図８】
2010145197.tif 000010